(57)【要約】  【課題】非接触媒体を使用して商品購入者の個人認証を行うことにより、利用者に密着した広告などの個人情報を提供する。  【解決手段】自動販売機本体１と商品を購入する商品購入者２が携帯しているＩＣチップ内蔵の非接触媒体３とデータの読み書きをする読み書き手段４と収納された商品を選択する商品選択手段と、非接触媒体３に書き込まれている個人別情報に対応付けられた広告情報が登録されているデータベースと、データベースを表示する表示手段と、非接触媒体３に書き込まれている個人別情報から購入者に一致した広告をデータベースから検索し、表示する演算制御部５を備え、商品購入者２が商品を購入すると商品購入者２に密着した情報提供することができる。【選択図】図１
2007041749.tif 000002
【特許請求の範囲】
【請求項１】
商品を収納する各収納棚に対応してそれぞれ設けられた商品選択手段と、前記商品選択手段の操作を基に購入金額データの読み書きおよび商品購入者別情報を非接触にて行う読み書き手段と、商品購入者別情報に対応付けた情報が登録されているデータベースと、商品購入者に視認可能な部位に配置された情報を表示する表示手段と、前記非接触媒体から読み取った商品購入者別情報を前記データベースに照合する演算制御手段とからなり、前記演算制御手段は、前記商品選択手段による商品の選択操作が行われた時、商品の購入金額の書き替えと商品の搬出と商品購入者別情報に対応付けた情報が登録されているデータベースと商品購入者別情報を比較し、商品購入者に応じた情報を表示することを特徴とした自動販売機。
【請求項２】
時間を計測するためのタイマー手段を備え、前記購入者別情報には少なくとも性別、生年月日の個人情報を含み、前記データベースには性別、生年月日に基づいた日付け別情報が登録されており、前記演算制御部は、商品購入者が商品を選択した時に商品購入者の日付け別情報を表示することを特徴とした請求項１に記載の自動販売機。
【請求項３】
表示した情報の内容を印刷する印刷手段を備え、前記演算制御部は、商品購入者が表示内容を記録したい時に印刷できることを特徴とした請求項１または２に記載の自動販売機。
【請求項４】
複数の広告情報から表示する広告情報を選択する選択手段を備え、前記演算制御部は、複数の情報の中から情報を選択できることを特徴とした請求項１または２に記載の自動販売機。
【請求項５】
外部からの情報を受信する受信手段を備え、前記演算制御部は、広告データベースの内容をリアルタイムで変更できることを特徴とした請求項１または２に記載の自動販売機。
【発明の詳細な説明】
【技術分野】
【０００１】
本発明は、非接触媒体を使用して商品購入者の個人認証を行うことにより、利用者に密着した広告などの個人情報を提供する自動販売機に関するものである。
【背景技術】
【０００２】
従来、この種の自動販売機は、鉄道などの改札口に設けられた改札機の使用者に広告情報の提供をしている（例えば、特許文献１参照）。
【０００３】
図１２は特許文献１に記載された従来の鉄道などの改札機の広告システムを示すものである。図１２に示すように、改札機本体１３と、読取装置１４と、選択手段１５と、広告データベース１６と、表示器１７から構成される。
【０００４】
以上のように構成された自動販売機の広告システムについて、以下その動作を説明する。
【０００５】
まず、改札機本体１３に投入された定期券に記録されている使用者別情報を読取装置１４から読み取る。定期券に記録される使用者別情報は選択手段１５によって広告データベース１６から使用者別情報に対応する広告情報が抽出される。改札機本体１３において定期券の使用者に視認可能な部位には表示器１７が配置され、選択手段１５により抽出された広告情報が表示器１７に表示される。
【特許文献１】特開２００３−４４８８４号公報
【発明の開示】
【発明が解決しようとする課題】
【０００６】
しかしながら、上記従来の構成では、不特定多数の人、特に朝夕の通勤ラッシュ時に素早く改札口を通過する人に関係した広告を表示しても通過するスピードが早く見ることが困難であり、また、個人情報を改札口を通過する前後の人に見られてしまうという課題を有していた。
【０００７】
本発明は従来の課題を解決するもので、自動販売機を広告情報の提示に利用することにより、自動販売機で購入した商品や飲料メーカーの情報を初めとして、商品購入者に密着した情報、たとえば、商品購入者が女性であれば、自動販売機が設置されているスーパーマケットの特売情報を見る時間を気にせず、見ることのできる自動販売機を提供することを目的とする。
【課題を解決するための手段】
【０００８】
上記従来の課題を解決するために、本発明の請求項１に記載の発明は、商品を収納する各収納棚に対応してそれぞれ設けられた商品選択手段と、前記商品選択手段の操作を基に購入金額データの読み書きおよび商品購入者別情報を非接触にて行う読み書き手段と、商品購入者別情報に対応付けた情報が登録されているデータベースと、商品購入者に視認可能な部位に配置された情報を表示する表示手段と、前記非接触媒体から読み取った商品購入者別情報を前記データベースに照合する演算制御手段とからなり、前記演算制御手段は、前記商品選択手段による商品の選択操作が行われた時、商品の購入金額の書き替えと商品の搬出と商品購入者別情報に対応付けた情報が登録されているデータベースと商品購入者別情報を比較し、商品購入者に応じた情報を表示することを特徴としものである。
【０００９】
これによって、商品購入者個人に密着した広告情報が、見る時間を気にせず、また、他人に見られることなく見ることができる。
【００１０】
また、本発明の請求項２に記載の発明は、請求項１に記載の発明に、さらに、時間を計測するためのタイマー手段を備え、前記購入者別情報には少なくとも性別、生年月日の個人情報を含み、前記データベースには性別、生年月日に基づいた日付け別情報が登録されており、前記演算制御部は、商品購入者が商品を選択した時に商品購入者の日付け別情報を表示することを特徴としたものである。
【００１１】
これによって、自動販売機で商品を購入することにより、商品購入者の占い、天気予報などの情報を見ることができる。
【００１２】
また、本発明の請求項３に記載の発明は、請求項１または２に記載の発明に、さらに、表示した広告情報の内容を印刷する印刷手段を備え、前記演算制御部は、商品購入者が表示内容を記録したい時に印刷できることを特徴としたものである。
【００１３】
これによって、商品購入者が表示内容を読んでいる時間が無い場合等、印刷して保存することができる。
【００１４】
また、本発明の請求項４に記載の発明は、請求項１または２に記載の発明に、さらに、複数の広告情報から表示する広告情報を選択する選択手段を備え、前記演算制御部は、複数の情報の中から情報を選択できることを特徴としたものである。
【００１５】
これによって、商品購入者が複数ある情報の中から興味のある情報だけを選択することができる。
【００１６】
また、本発明の請求項５に記載の発明は、請求項１または２に記載の発明に、さらに、外部からの情報を受信する受信手段を備え、前記演算制御部は、データベースの内容をリアルタイムで変更できることを特徴としたものである。
【００１７】
これによって、音楽ＣＤや書籍の１週間での売り上げランキング等の情報をリアルタイムで更新することができる。
【発明の効果】
【００１８】
本発明の請求項１に記載の発明は、利用者個人に密着した広告情報が、時間を気にせず、また、他人に見られることもなくなる。
【００１９】
また、本発明の請求項２に記載の発明は、自動販売機で商品を購入することにより、商品購入者の占い、天気予報などの情報を見ることができる。
【００２０】
また、本発明の請求項３に記載の発明は、商品購入者が表示内容を読んでいる時間が無い場合等、印刷して保存することができる。
【００２１】
また、本発明の請求項４に記載の発明は、複数ある情報の中から必要な情報を選択することができる。
【００２２】
また、本発明の請求項５に記載の発明は、音楽ＣＤや書籍の１週間での売り上げランキング等の情報をリアルタイムで更新することがでる。
【発明を実施するための最良の形態】
【００２３】
請求項１に記載の発明は、商品を収納する各収納棚に対応してそれぞれ設けられた商品選択手段と、前記商品選択手段の操作を基に購入金額データの読み書きおよび商品購入者別情報を非接触にて行う読み書き手段と、商品購入者別情報に対応付けた情報が登録されているデータベースと、商品購入者に視認可能な部位に配置された情報を表示する表示手段と、前記非接触媒体から読み取った商品購入者別情報を前記データベースに照合する演算制御手段を備えたことにより、商品購入者個人に密着した広告情報が、見る時間を気にせず、また、他人に見られることなく見ることができる。
【００２４】
請求項２に記載の発明は、請求項１に記載の発明に、さらに、時間を計測するためのタイマー手段を備えたことにより、商品購入者の占い、天気予報などの情報を見ることができる。
【００２５】
請求項３に記載の発明は、請求項１または２に記載の発明に、さらに、表示した広告情報の内容を印刷する印刷手段を備えたことにより、商品購入者が表示内容を読んでいる時間が無い場合等、印刷して保存することができる。
【００２６】
請求項４に記載の発明は、請求項１または２に記載の発明に、さらに、複数の広告情報から表示する広告情報を選択する選択手段を備えることにより、商品購入者が複数ある情報の中から興味のある情報だけを選択することができる。
【００２７】
請求項５に記載の発明は、請求項１または２に記載の発明に、さらに、外部からの情報を受信する受信手段を備えることにより、音楽ＣＤや書籍の１週間での売り上げランキング等の情報をリアルタイムで更新することができる。
【００２８】
以下、本発明による自動販売機の実施の形態について、図面を参照しながら説明する。なお、この実施の形態によってこの発明が限定されるものではない。
【００２９】
（実施の形態１）
図１は、本発明の実施の形態１における自動販売機の概略構成図である。
【００３０】
図２は、同実施の形態の自動販売機の機能ブロック図である。図３は、同実施の形態の自動販売機の動作を示すフローチャートである。
【００３１】
図１、図２において、自動販売機本体１は、商品を購入する商品購入者２が携帯しているＩＣチップ内蔵の非接触媒体３とデータの読み書きをする読み書き手段４と、収納された商品を選択する商品選択手段６と、非接触媒体３に書き込まれている個人別情報に対応付けられた広告情報が登録されているデータベース７と、データベース７を表示する表示手段８と、非接触媒体３に書き込まれている個人別情報から購入者に一致した情報をデータベースから検索し、表示する演算制御部５から構成されている。
【００３２】
以上のように構成された自動販売機について、以下その演算制御部５の動作、作用を図３のフローチャートをもとにして説明する。
【００３３】
商品選択手段６によって商品が選択されると（ＳＴＥＰ１）演算制御部５は、ＩＣチップが組み込まれた非接触媒体３から読み書き手段４を介して残高商品購入金額を読み込み（ＳＴＥＰ２）、購入した商品の金額を残高商品購入金額から減算し（ＳＴＥＰ３）、読み書き手段４を介してＩＣチップが組み込まれた非接触媒体３に書き込み（ＳＴＥＰ４）、その後、非接触媒体３から購入者の個人情報を読み込む（ＳＴＥＰ５）。読み込まれた個人情報は、データベース７から購入者にふさわしい情報を検索し（ＳＴＥＰ６）、表示手段８に表示する（ＳＴＥＰ７）。また、ＳＴＥＰ６において、購入者にふさわしい情報が無い場合は、表示を行わない。
【００３４】
以上のように、本実施の形態においては、商品を収納する各収納棚に対応してそれぞれ設けられた商品選択手段と、前記商品選択手段の操作を基に購入金額データの読み書きおよび商品購入者別情報を非接触にて行う読み書き手段と、商品購入者別情報に対応付けた情報が登録されているデータベースと、商品購入者に視認可能な部位に配置された情報を表示する表示手段と、前記非接触媒体から読み取った商品購入者別情報を前記データベースに照合する演算制御手段を備えたことにより、利用者個人に密着した情報が、時間を気にせず、また、他人に見られることもなく見ることができる。
【００３５】
（実施の形態２）
図４は、本発明の実施の形態２における自動販売機の機能ブロック図である。図５は、同実施の形態の自動販売機の動作を示すフローチャートである。
【００３６】
図４において、タイマー手段９は、演算制御部５ａに接続し、時間の計数をするためのものである。
【００３７】
本実施の形態は、実施の形態１による自動販売機に、さらに、時間を計数するためのタイマー手段９を設けたものである。
【００３８】
以上のように構成された自動販売機について、以下その演算制御部５ｂの動作、作用を図５のフローチャートをもとにして説明する。
【００３９】
商品選択手段６によって商品が選択されると（ＳＴＥＰ８）演算制御部５ａは、ＩＣチップが組み込まれた非接触媒体３から読み書き手段４を介して残高商品購入金額を読み込み（ＳＴＥＰ９）、購入した商品の金額を残高商品購入金額から減算し（ＳＴＥＰ１０）、読み書き手段４を介してＩＣチップが組み込まれた非接触媒体３に書き込み（ＳＴＥＰ１１）、その後、非接触媒体３から購入者の個人情報を読み込む（ＳＴＥＰ１２）。読み込まれた個人情報は、タイマー手段９で計数された商品購入日とデータベース７から購入者の日付け別データを検索し（ＳＴＥＰ１３）、表示手段８に表示する（ＳＴＥＰ１４）。また、ＳＴＥＰ１３において、購入者にふさわしい情報が無い場合は、表示を行わない。
【００４０】
以上のように、本実施の形態においては請求項１に記載の発明に、さらに、商品購入日を計数するためのタイマー手段を備えたことにより、商品購入者の占い、天気予報などの情報を見ることができる。
【００４１】
（実施の形態３）
図６は、本発明の実施の形態３における自動販売機の機能ブロック図である。図７は、同実施の形態の自動販売機の動作を示すフローチャートである。
【００４２】
図６において、印刷手段１０は、演算制御部５ｂに接続し、表示手段８に表示される内容を印刷するためのものである。
【００４３】
本実施の形態は、実施の形態１または２による自動販売機に、さらに、表示手段８に表示された内容を印刷するための印刷手段を設けたものである。
【００４４】
以上のように構成された自動販売機について、以下その演算制御部５ｂの動作、作用を図７のフローチャートをもとにして説明する。
【００４５】
商品選択手段６によって商品が選択されると（ＳＴＥＰ１５）演算制御部５ｂは、ＩＣチップが組み込まれた非接触媒体３から読み書き手段４を介して残高商品購入金額を読み込み（ＳＴＥＰ１６）、購入した商品の金額を残高商品購入金額から減算し（ＳＴＥＰ１７）、読み書き手段４を介してＩＣチップが組み込まれた非接触媒体３に書き込み（ＳＴＥＰ１８）、その後、非接触媒体３から購入者の個人情報を読み込む（ＳＴＥＰ１９）。読み込まれた個人情報は、データベース７から購入者にふさわしい広告を検索し（ＳＴＥＰ２０）、表示手段８に表示する（ＳＴＥＰ２１）。その表示された内容は印刷手段により印刷を行う（ＳＴＥＰ２２）。また、ＳＴＥＰ２０において、購入者にふさわしい情報が無い場合は、表示および印刷しない。
【００４６】
以上のように、本実施の形態においては請求項１に記載の発明に、さらに、印刷手段を備えたことにより、商品購入者が表示内容を読んでいる時間が無い場合等、印刷して保存することができる。
【００４７】
個人認証に要する時間を短縮できるとともに、顧客は自動販売機で購入した所定回数毎に、サービスを受けることができ、自動販売機での販売量の増加が期待できる。
【００４８】
（実施の形態４）
図８は、本発明の実施の形態４における自動販売機の機能ブロック図である。図９は、同実施の形態の自動販売機の動作を示すフローチャートである。
【００４９】
図８において、データ選択手段１１とデータ記憶手段１２は、演算制御部５ｃに接続し、個人情報が複数個ある場合必要な情報のみを選択するためのものである。
【００５０】
本実施の形態は、実施の形態１による自動販売機に、さらに、複数の情報から必要な情報を選択する選択手段を設けたものである。
【００５１】
以上のように構成された自動販売機について、以下その演算制御部５ｃの動作、作用を図９のフローチャートをもとにして説明する。
【００５２】
商品選択手段６によって商品が選択されると（ＳＴＥＰ２３）演算制御部５ｃは、ＩＣチップが組み込まれた非接触媒体３から読み書き手段４を介して残高商品購入金額を読み込み（ＳＴＥＰ２４）、購入した商品の金額を残高商品購入金額から減算し（ＳＴＥＰ２５）、読み書き手段４を介してＩＣチップが組み込まれた非接触媒体３に書き込み（ＳＴＥＰ２６）、その後、非接触媒体３から購入者の個人情報を読み込む（ＳＴＥＰ２７）。読み込まれた個人情報は、データベース７から購入者にふさわしい広告を検索し（ＳＴＥＰ２８）、データ記憶手段１２に記憶する（ＳＴＥＰ２９）。個人情報に関連しデータがデータベースに無くなり、データ選択手段１１により、データ記憶手段１２の中から表示するデータを選択する場合は（ＳＴＥＰ３０）、データ記憶手段の中から表示するデータを選択し、データ表示手段８に表示する（ＳＴＥＰ２１）。また、ＳＴＥＰ３０においてデータを選択したく無い場合は、データ記憶手段１２の中の全てのデータを表示する。
【００５３】
以上のように、本実施の形態においては請求項１記載の発明に、さらに、データ選択手段を備えたことにより、商品購入者が複数ある情報の中から興味のある情報だけを選択することができる。
【００５４】
（実施の形態５）
図１０は、本発明の実施の形態５における自動販売機の機能ブロック図である。図１１は、同実施の形態の自動販売機の動作を示すフローチャートである。
【００５５】
図１０において、外部からのデータ受信手段１３は、演算制御部５ｄに接続し、外部からのデータベースを書き換えるデータを受信するためのものである。
【００５６】
本実施の形態は、実施の形態１による自動販売機に、さらに、データ受手段を設けたものである。
【００５７】
以上のように構成された自動販売機について、以下その演算制御部５ｄの動作、作用を図１１のフローチャートをもとにして説明する。
【００５８】
商品選択手段６によって商品が選択されると（ＳＴＥＰ３３）演算制御部５ｄは、ＩＣチップが組み込まれた非接触媒体３から読み書き手段４を介して残高商品購入金額を読み込み（ＳＴＥＰ３４）、購入した商品の金額を残高商品購入金額から減算し（ＳＴＥＰ３５）、読み書き手段４を介してＩＣチップが組み込まれた非接触媒体３に書き込み（ＳＴＥＰ３６）、その後、外部からデータベースへの更新データがあったか確認し（ＳＴＥＰ３７）、更新データがあった場合、データベースを更新し（ＳＴＥＰ３８）、非接触媒体３から購入者の個人情報を読み込む（ＳＴＥＰ３９）。読み込まれた個人情報は、データベース７から購入者にふさわしい広告を検索し（ＳＴＥＰ４０）、表示手段８に表示する（ＳＴＥＰ７）。また、ＳＴＥＰ６において、購入者にふさわしい広告が無い場合は、表示を行わない。
【００５９】
以上のように、本実施の形態においては請求項１に記載の発明に、さらに、外部からのデータを受信する受信手段を備えたことにより、音楽ＣＤや書籍の１週間での売り上げランキング等の情報をリアルタイムで更新することができる。
【産業上の利用可能性】
【００６０】
以上のように、本発明にかかる自動販売機は、広告内容を自動販売機に表示することにより、自動販売機で購入した商品や飲料メーカーの情報を初めとして、商品購入者に密接した情報、たとえば、商品購入者が女性であれば、自動販売機が設置されているスーパーマケットの特売情報が時間を気にせず、見ることができる。
【図面の簡単な説明】
【００６１】
【図１】本発明の実施の形態１における自動販売機の概略構成図
【図２】同実施の形態の自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】本発明の実施の形態５における自動販売機の機能ブロック図
【図１１】同実施の形態の自動販売機の動作を示すフローチャート
【図１２】従来の鉄道などの改札機の広告システムを示す図
【符号の説明】
【００６２】
１    自動販売機本体
２    商品購入者
３    非接触媒体
４    読み書き手段
５，５ａ，５ｂ，５ｃ，５ｄ  演算制御部
６    商品選択手段
７    データベース
８    表示手段
９    タイマー手段
１０  印刷手段
１１  データ選択手段
１２  データ記憶手段
１３  受信手段
【図１】
2007041749.tif 000003
【図２】
2007041749.tif 000004
【図３】
2007041749.tif 000005
【図４】
2007041749.tif 000006
【図５】
2007041749.tif 000007
【図６】
2007041749.tif 000008
【図７】
2007041749.tif 000009
【図８】
2007041749.tif 000010
【図９】
2007041749.tif 000011
【図１０】
2007041749.tif 000012
【図１１】
2007041749.tif 000013
【図１２】
2007041749.tif 000014